(57)【特許請求の範囲】
【請求項１】
一方の面に配される第１の編地と、
他方の面に配される第２の編地とを有する編地であり、
第１の編地と第２の編地とは、接結糸で接結されており、
第２の編地を構成する編目の大きさに比して、第１の編地を構成する編目の大きさが大きく構成されており、
第１の編地は、嵩高糸で構成されており、
第２の編地を構成する糸の太さに比して、第１の編地を構成する糸の太さが大きく構成されており、
第１の編地を構成する嵩高糸、第２の編地を構成する糸、及び接結糸は、何れも綿糸であり、
第１の編地を構成する嵩高糸は、無撚糸、甘撚糸、２０番手若しくは２０番手よりも径が太いコーマ糸、又はカード糸であり、
第２の編地を構成する糸は、綿糸であり、第１の編地を構成する糸に比して、光沢感のある糸、毛羽立ちが少ない糸、又は摩擦係数の小さい糸である両面編地で構成された衣服であり、
第１の編地が肌側となり、第２の編地が外側となる衣服。
【請求項２】
第２の編地を構成する糸は、超長綿の糸である請求項１に記載の衣服。
【請求項３】
第１の編地を構成する糸は、単糸又は撚り係数０．１〜３．６の双糸である請求項１又は２に記載の衣服。
【発明の詳細な説明】
【技術分野】
【０００１】
本発明は、生地の両面を編地とする編地とそれを用いた布製品に関する。
【背景技術】
【０００２】
特許文献１には、両面を編地で構成した編地が記載されている。この編地では、表裏のうち一方をループ編に編成し、表裏のうち他方をタック編に編成する。ループ編、タック編の繰返しにより隣り合うウェールの表裏を接結し、編糸の一定数たとえば編糸５本ごとに、前記ループ編、タック編の繰返しを１ウェールずつずらして繰返しにした両面編地が記載されている。この編地では、編糸の一定数ごとに接結糸によるループ編、タック編の繰返しを１ウェールずつずらしてあるため、接結糸によるループ編み片面の度目の粗密が修正されるとされている。またタック編片面にタック編部が朱子状に規則正しく表れるとされている。この編地は、ガーゼ調の肌触りであるとされている。
【先行技術文献】
【特許文献】
【０００３】
【特許文献１】実開昭５６−１５６８８２号公報
【発明の概要】
【発明が解決しようとする課題】
【０００４】
柔軟な肌触りを有する布地として綿ガーゼ（以下、単にガーゼと称する。）が知られている。ガーゼは、木綿糸を漂白して目の粗い平織とした布地であり、柔軟性に富むだけでなく、通気性においても優れており、衣服の素材として用いた場合に快適性が向上する。しかしながら、ガーゼは、縫い目が荒いため、生地の縫い目において滑脱と呼ばれる現象が生じやすいという欠点がある。滑脱は、生地の縫合部分に力が加えられると、縫い目が開いてしまう現象のことである。また、ガーゼは、織布であるため、伸縮性に乏しいという欠点がある。
【０００５】
一方で特許文献１の生地は、編地であるため、ある程度の伸縮性を備えると推測される。しかしながら、特許文献１には、表地と裏地とで生地の緻密さを変えることは記載されていない。例えば、編地の両面を粗い編地で構成した場合は、生地の外観が粗野な印象を与える。また、例えば、生地の両面を緻密な編地で構成した場合は、生地の外観はスマートなものになるが、生地の嵩が小さくなり、肌触り、クッション性、通気性、汗を吸収する能力が損なわれてしまう。
【０００６】
また、スウェットやトレーナーなどの生地として、生地の裏面にパイルを形成し、生地の表面は平編としたものが知られている。このような生地では、生地の裏面に配されたパイル糸と、生地の表面を形成する平編組織とが接結糸により連結されているに過ぎない。パイル糸は、接結糸を介して、表側の平編組織に固定されているだけなので、平織組織を構成する糸が破断するなどして解れると、それに連動して、接結糸とパイル糸とが解れるという問題があった。
【０００７】
本発明は、編地の一方の面を粗く構成し、編地の他方の面を緻密に構成することで、編地の一方の面においては、編地に嵩高さを持たせて、ガーゼのような肌触りを実現し、クッション性と汗を吸収する能力とを向上させて、編地の他方の面においては、編地の外観をスマートに見せて、編地全体としては、編地に通気性を持たせて、編地の解れと滑脱とを生じにくくして、しかも伸縮性においても優れた両面編地と、それを用いた布製品とを提供することを目的とする。
【課題を解決するための手段】
【０００８】
一方の面に配される第１の編地と、他方の面に配される第２の編地とを有する編地であり、第１の編地と第２の編地とは、接結糸で接結されており、第２の編地を構成する編目の大きさに比して、第１の編地を構成する編目の大きさが大きく構成されており、第１の編地は、嵩高糸で構成されており、第２の編地を構成する糸の太さに比して、第１の編地を構成する糸の太さが大きく構成された両面編地と、当該編地で構成された布製品により、上記の課題を解決する。この両面編地では、一方の面に配される第１の編地は、編目が大きく、比較的に太い嵩高糸で構成されるため、ガーゼのように、嵩高く、クッション性を備えており、汗を吸収しやすい。第１の編地は、編目が大きく、太い糸で構成されているため、編地が肌に密着しにくく、通気性に優れている。第２の編地は、緻密であるが編地であるので、第１の編地の通気性を損なわない。このため編地全体として優れた通気性を発揮する。他方の面に配される第２の編地は、編目が小さく、比較的に細い糸で構成されているため、編目が目立たずスマートな外観となる。第１の編地と、第２の編地とは、別々の糸で編成されており、接結により一体化されているため、第１の編地及び第２の編地のうち一方が破損したり解れたりしても、他方の編地が解れたり破損したりしにくい。また、第２の編地は、第１の編地に比して、緻密に構成され、第１の編地と第２の編地とは接結されているため、第１の編地と第２の編地とを構成する糸がずれにくく、滑脱が生じにくくなっている。また、両面編地は、生地全体が編物であるため、織布に比して、伸縮性において優れる。
【０００９】
上記の両面編地において、第１の編地を構成する糸、第２の編地を構成する糸、及び接結糸は、何れも綿糸で構成することが好ましい。これにより、第１の編地に綿ガーゼのような肌触り、クッション性、通気性、吸汗性能を付与し、第２の編地は綿を構成材としながらも綿ガーゼとは異なる緻密な外観とすることができる。また、織物で構成された綿ガーゼとは異なり、生地は第１の編地と第２の編地とで構成されているので、織物で構成された綿ガーゼに比して、糸が滑脱したり、糸がずれたりしにくく、綿ガーゼよりも高い耐久性を発揮し、しかも伸縮性にも富んだものにすることができる。この構成では、生地が綿１００％で構成されるため、従来の綿ガーゼのユーザーは、抵抗感なく両面編地を使用することができる。
【００１０】
上記の両面編地において、第１の編地を構成する嵩高糸としては、例えば、無撚糸、甘撚糸、２０番手若しくは２０番手よりも径が太いコーマ糸、又はカード糸を使用することができる。生地の他方の面を表として使用すれば、従来の綿ガーゼに比して、よりスマートな外観、デザインとすることができる。
【００１１】
上記の両面編地において、第２の編地を構成する糸としては、例えば、超長綿の糸、レーヨンの糸、絹糸、又はポリエステル製若しくはナイロン製のモノフィラメント糸を使用することができる。
【００１２】
上記の両面編地において、第１の編地を構成する糸は、単糸又は撚り係数０．１〜３．６の双糸であることが好ましい。単糸であれば、糸が備える嵩高さをそのまま活かすことができる。双糸であっても、撚りを強くかけないようにすることで、糸が備える嵩高さを減殺せずに、糸のボリュームを増加させることができる。
【発明の効果】
【００１３】
本発明によれば、編地の一方の面を粗く構成し、編地の他方の面を緻密に構成することで、編地の一方の面においては、編地に嵩高さを持たせて、ガーゼのような肌触りを実現し、クッション性と汗を吸収する能力とを向上させて、編地の他方の面においては、編地の外観をスマートに見せて、編地全体としては、編地に通気性を持たせて、編地の解れと滑脱とを生じにくくして、しかも伸縮性においても優れた両面編地と、それを用いた布製品とを提供することができる。
【図面の簡単な説明】
【００１４】
【図１】両面編地の一実施形態の構成図である。
【図２】図１の第１の編地を上方から見た図である。
【図３】図１の第２の編地を上方から見た図である。
【図４】図１の両面編地が肌に接触した状態を示す断面図である。
【図５】実施例１に係る両面編地の表側の写真である。
【図６】実施例１に係る両面編地の裏側の写真である。
【図７】実施例２に係る両面編地の表側の写真である。
【図８】実施例２に係る両面編地の裏側の写真である。
【図９】実施例２に係る両面編地の接結部分を示す写真である。
【発明を実施するための形態】
【００１５】
以下、本発明の両面編地の好適な実施形態について説明する。以下に示す両面編地は、一例に過ぎず、本発明の技術的範囲は例示した実施形態に限定されるものではない。
【００１６】
本実施形態の両面編地１では、図１ないし図３に示したように、一方の面に配される第１の編地１１が第２の編地１２に比して、粗大に構成されている。他方の面に配される第２の編地１２は、第１の編地１１に比して、緻密に構成されている。
【００１７】
粗大に構成される第１の編地１１は、図２及び図３に示したように、第２の編地１２を構成する編目の大きさＢに比して、第１の編地１１を構成する編目の大きさＡが大きくなるように構成されている。一方、緻密に構成される第２の編地１２は、第１の編地１１を構成する編目の大きさＡに比して、第２の編地１２を構成する編目の大きさＢが小さくなるように構成されている。
【００１８】
粗大に構成される第１の編地１１を構成する糸の太さは、緻密に構成される第２の編地１２を構成する糸の太さに比して、大きくなるように構成されている。一方、緻密に構成される第２の編地１２を構成する糸の太さは、粗大に構成される第１の編地１１を構成する糸の太さに比して、小さくなるように構成されている。粗大に構成される第１の編地１１は、嵩高糸で構成される。
【００１９】
以上のように構成された第１の編地１１と、第２の編地１２とは、図１に示したように、複数の接結糸１３により、互いに接結されて、一枚の生地とされる。
【００２０】
本実施形態の両面編地は、上記のような構成を備えるため、第２の編地１２においては、生地の外観がガーゼ調ではない、スマートなものとなる。一方、第１の編地１１においては、ガーゼのような、嵩高さと、肌触りと、クッション性と、汗を吸収する能力とを持たせることができる。両面編地は、両面が編地となっているため、従来の表面が編地で裏面がパイル地となっている生地とは異なり、例えば、一方の編地を構成する糸が切れたとしても、その影響が他方の編地に波及せず、生地が伝線するように破損することを防止することができるので耐久性において優れる。第１の編地１１は、上述のように、粗大に構成されており、第２の編地１２は、通気性を損なうような構成ではないため、両面編地１は全体として、優れた通気性を発揮する。また、両面編地は、生地全体が編物で構成されているため、伸縮性において優れる。
【００２１】
従来のガーゼのように、生地の織目が大きく、生地を構成する糸が太い場合、ガーゼの生地を構成する織布の縦糸又は横糸の位置がずれたり、縦糸又は横糸が滑脱したりすることがあった。本実施形態の両面編地では、第１の編地を構成する糸は、第２の編地に対して、接結糸によって、固定されているので、第１の編地を構成する糸と第２の編地を構成する糸の位置が大きくずれたり、糸が滑脱したりしにくくなっている。
【００２２】
第１の編地１１は、編目が大きく、糸が太く、かつ嵩高糸で編目が構成されているため、両面編地を衣服用の生地として用いた場合は、図４に示したように、第２の編地１２に比して大きな編目を構成する第１の編地１１のループの端部が肌に触れる。編目を構成する連続する糸の一方の部分１３１と他方部分１３２との間に空隙１３３が形成され、この空隙の部分では、両面生地を肌に押さえつけるなどしない限りは、両面編地と着用者の肌とが直接触れにくくなっている。このため、発汗した際に両面編地１が肌にまとわりつきにくく、通気性が良好である。
【００２３】
本実施形態の両面編地１では、第１の編地１１の編目を構成する連続する糸の一方の部分１３１と他方の部分１３２とは、比較的に太い嵩高糸で構成されているため、発汗した際に糸１３１、１３２が汗を吸収しやすい。細糸であると糸の体積が小さいため、少量の汗しか吸収できないが、嵩の高い太糸であれば、糸の体積と糸を構成する繊維間の空隙の体積が大きいため、比較的に多量の汗を吸収することができる。
【００２４】
上記の実施形態に係る両面編地１では、第１の編地１１、及び第２の編地１２は、共に、平編（天竺編）で構成した。編地の組織は、第１の編地、及び第２の編地、共に限定されない。例えば、第１の編地、又は第２の編地は、平編、ゴム編、パール編、シングルトリコット編、シングルコード編、又はシングルアトラス編などの組織にすることができる。
【００２５】
第１の編地を構成する嵩高糸は、第２の編地を構成する糸に比して、嵩が高い糸であればよい。嵩高糸としては、例えば、無撚糸、甘撚糸、又はカード糸など糸の繊維が毛羽立っているものを使用することができる。毛羽が比較的に少ない糸であっても２０番手若しくは２０番手よりも径が太いコーマ糸であれば、嵩高さが得られる。無撚糸、甘撚糸、カード糸、２０番手若しくは２０番手よりも径が太いコーマ糸を採用する場合は、糸の嵩高さを活かすために単糸又は撚り係数が０．１〜３．６の双糸を使用することが好ましい。単糸であれば、糸が備える嵩高さをそのまま活かすことができる。双糸の場合は、撚りを強くかけないようにすることによって、糸が備える嵩高さが減殺されることを防いで、糸のボリュームを増加させることができる。無撚糸、又は甘撚糸は、摩擦等により糸を構成する繊維が脱落し、両面編地が痩せやすい。コーマ糸又はカード糸は、比較的に、摩擦によって糸を繊維が脱落しにくいため、両面編地において好適に使用することができる。
【００２６】
無撚糸、又は甘撚糸としては、例えば、以下で求められる撚係数が０〜３．６、又は０〜３．０のものを好適に使用することができる。以下の式において、Ａは糸の番手であり、Ｂは１インチ当たりの撚り回数を示す。
0006841463.tif 000002
【００２７】
第２の編地を構成する糸は、第１の編地を構成する糸よりも糸の太さが小さいものであればよい。これにより、第２の編地の緻密に構成し、第２の編地の外観をスマートなものにすることができる。第２の編地を構成する糸としては、光沢感のある糸、毛羽立ちが少ない糸、又は摩擦係数の小さい糸を使用することが好ましい。これによって、第２の編地に光沢感を持たせたり、第２の編地を摩擦係数の小さい指滑りのよい生地にしたり、摩擦により毛玉や毛羽立ちの発生を抑制することで、第２の編地をさらにスマートなものにすることができる。そのような糸としては、例えば、超長綿の糸、レーヨンの糸、絹糸、又はポリエステル製若しくはナイロン製のモノフィラメント糸等が挙げられる。
【００２８】
第１の編地を構成する嵩高糸、第２の編地を構成する糸、又は接結糸を構成する糸は、ナイロン、ポリエステル、レーヨンなどの合成樹脂製の糸であってもよいし、綿、絹、麻などの天然素材で構成した糸であってもよい。
【００２９】
例えば、第１の編地を構成する嵩高糸、及び接結糸を構成する糸は、綿糸とし、第２の編地を構成する糸は、上記のモノフィラメント糸、又は絹糸などの光沢を有する糸を使用することで、第１の編地には、綿ガーゼのような風合いを付与し、第２の編地は光沢感のある風合いを付与することができる。
【００３０】
例えば、第１の編地を構成する嵩高糸、第２の編地を構成する糸、及び接結糸は、何れも綿糸とすることで、第１の編地に綿ガーゼのような肌触り、クッション性、通気性、吸汗性能を付与し、第２の編地は面を構成材としながらも綿ガーゼとは異なる緻密な外観とすることができる。また、織物で構成された綿ガーゼとは異なり、生地は第１の編地と第２の編地とで構成されており、互いに接結されているので、織物で構成された綿ガーゼに比して、糸が滑脱したり、糸がずれたりしにくく、綿ガーゼよりも高い耐久性を発揮し、しかも伸縮性にも富んだものにすることができる。この構成では、生地が綿１００％で構成されるため、従来の綿ガーゼのユーザーは、抵抗感なく両面編地を使用することができる。
【００３１】
第１の編地を構成する糸、及び第２の編地を構成する糸として、共に綿糸を使用する構成であれば、第１の編地を構成する糸としては、例えば、１０〜３０番手の綿糸を好適に使用することができる。また、第２の編地を構成する糸としては、３０〜６０番手の綿糸を好適に使用することができる。ただし、第１の編地を構成する糸の番手と、第２の編地を構成する糸の番手は、重複しないものとする。
【００３２】
第１の編地と第２の編地とを接結する接結糸は、第１の編地を構成する糸又は第２の編地を構成する糸を利用してもよい。しかしながら、第１の編地の糸と第２の編地を構成する糸とは、別の糸を接結糸とすることが好ましい。第１の編地を構成する糸又は第２の編地を構成する糸を接結糸として利用する構成では、例えば、第１の編地又は第２の編地が損耗した際に、接結部分に影響が及び、第１の編地と第２の編地とが剥離することがある。接結糸を、第１の編地の糸と第２の編地を構成する糸とは、別の糸で構成することにより、第１の編地又は第２の編地が損耗した際に、その影響が接結糸に及びにくくすることができる。
【００３３】
第１の編地を構成する編目の大きさＡは、例えば、０．２〜５．０ｍｍとすることができる。また、第２の編地を構成する編目の大きさＢは、例えば、０．０１〜１．０ｍｍとすることができる。
【００３４】
両面編地は、耐久性に優れており、クッション性、通気性、及び吸汗性に優れているため、寝巻若しくはルームウェアなどの衣服、ハンカチ、又はマスクなど、種々の布製品に多用途に使用することができる。
【実施例】
【００３５】
以下、本発明の両面編地の実施例を挙げて説明する。以下に示す両面編地は、一例に過ぎず、本発明の技術的範囲は例示した実施例に限定されるものではない。
【００３６】
［実施例１］（ポリエステル糸、綿糸を使用した生地）
第１の編地の糸として、２０番手のカード糸の単糸を使用し、第２の編地の糸として、８４ｄｔeｘのポリエステルのマルチフィラメント糸を使用して二重組織からなる両面編地を編製した。接結糸は、第２の編地を構成する糸を利用した。接結糸は、第１の編地と第２の編地とは、独立した糸である。第１の編地と第２の編地とは、ウェール方向及びコース方向に、５０ｍｍずつの間隔を空けて複数の接結糸が第２の編地にわずかに現れるように、接結糸で接結するようにした。
【００３７】
第１の編地及び第２の編地は、共に平編組織である。第１の編地の編目の大きさＡは、０．５ｍｍであり、第２の編地の編目の大きさＢは、０．１ｍｍである。
【００３８】
実施例１に係る両面編地の表面及び裏面の写真を図５及び図６に示す。
【００３９】
［実施例２］（超長繊維糸、カード糸を使用した生地）
【００４０】
第１の編地の糸として、２０番手のカード糸の単糸を使用し、第２の編地の糸として、６０番手の超長繊維糸の単糸を使用し、二重組織からなる両面編地を編製した。接結糸は、第２の編地を構成する糸を利用した。接結糸は、第１の編地と第２の編地とは、独立した糸である。第１の編地と第２の編地とは、ウェール方向及びコース方向に、５ｍｍずつ間隔を空けて複数の接結糸が第２の編地にわずかに現れるように、接結糸で接結するようにした。
【００４１】
第１の編地及び第２の編地は、共に平編組織である。第１の編地の編目の大きさＡは、０．７ｍｍであり、第２の編地の編目の大きさＢは、０．０５ｍｍである。
【００４２】
実施例２に係る両面編地の表面及び裏面の写真を図７及び図８に示す。また、実施例２に係る両面編地の第１の編地と第２の編地とを引き剥がして、両者の接結部分の構造を接写した写真を図９に示す。
【００４３】
［比較例］
縦糸及び横糸に綿の甘撚糸を使用した二重組織を作製し、これを比較例１とした。なお、二重組織は、表側の組織、裏側の組織は共に平織であり、１インチ当たりの打ち込み密度の粗いガーゼと同様の組織とした。
【００４４】
実施例１の両面編地、実施例２の両面編地、又は比較例の二重組織を使用して、パジャマとルームウェアとを作製して、性能を評価した。実施例１及び実施例２の両面編地に関しては、粗大な面である第１の編地が肌側となり、緻密な面である第２の編地が外側となるように縫製した。
【００４５】
実施例１に係る両面編地を使用して縫製したパジャマ及びルームウェアは、表側は光沢感があってツルツルとした質感があり、スマートで高級感がある外観であった。布団とパジャマとの摩擦が少なく、楽に寝返りを行うことができた。裏側は、ガーゼ調の外観とガーゼ調の質感を備えるものであった。
【００４６】
実施例２に係る両面編地を使用して縫製したパジャマ及びルームウェアは、表側は毛羽立ちが少ない緻密な綿の編地でありスマートで高級感がある外観であった。裏側は、ガーゼ調の外観とガーゼ調の質感を備えるものであった。
【００４７】
実施例１又は実施例２の生地を使用して作製したパジャマとルームウェアは、裏地が共にガーゼのような外観である。これらのパジャマ又はルームウェアを着用した状態では、ガーゼを肌に当てたときの肌触りであり、クッション性に富んだ着心地であった。発汗した際には、第１の編地の編目を構成する嵩高糸に汗が迅速に吸収されるため、肌と第１の編地との間でべたつきを感じるようなことはなかった。また、第１の編地の編目を構成する糸の間に空隙が存在しているため、夏は通気性がよく、蒸れるような感じがなかった。冬は保温性に優れており、温かく感じた。
【００４８】
実施例１又は実施例２の生地で作製したパジャマとルームウェアとを繰り返し洗濯したが、洗濯時の摩擦により緻密な編地である第２の編地に毛玉や毛羽立ちが生じることはなかった。ガーゼ調である第１の編地では、編目を構成する糸がずれたり、生地の縫合部分において滑脱したりすることはなかった。これに対して、比較例に係る布地で作製したパジャマとルームウェアでは、布を構成する糸にずれが生じたり、生地の縫合部分において滑脱が生じた。そこで、滑脱を抑える目的で、生地の縫合部分に折り伏せ縫いを施したが、縫合部分において生地が硬くなって、着心地が損なわれる結果となった。
【００４９】
実施例１又は実施例２の生地で作製したパジャマとルームウェアの生地をカッターナイフで傷つけて、第２の編地を引っ張ってみたところ、第２の編地の損傷が第１の編地に波及して、第１の編地が損傷するといったことは生じず、完全に孔があくということはなかった。
【００５０】
実施例１又は実施例２の生地で作製したパジャマとルームウェアとは、伸縮性に富んでおり、膝や肘を曲げ伸ばしする動作や屈む動作を行う際に、両目編地が追従するように伸縮し、快適な着心地であった。ルームウェアの場合は、関節の曲げ伸ばしを行う動作や、屈む動作などを頻繁に行うし、ソファに横臥したりする動作なども行う。このような動作を行っても両面編地が追従するように伸縮することに加えて、生地がクッション性に富んでいるので、非常に快適であった。
【００５１】
これに対して、比較例に係る生地で作製したパジャマとルームウェアとは、膝や肘を曲げ伸ばしする動作や屈む動作を行う際に、生地が追従するように伸縮するといったことはなく、快適性という点において、実施例１又は実施例２の生地で作製したパジャマとルームウェアよりも劣るものであった。
【符号の説明】
【００５２】
１    両面編地
１１  第１の編地
１２  第２の編地
１３  接結糸
Ａ    第１の編地の編目
Ｂ    第２の編地の編目
【要約】
【課題】
編地の一方の面を粗く構成し、編地の他方の面を緻密に構成することで、編地の一方の面においては、編地に嵩高さを持たせて、ガーゼのような肌触りを実現し、クッション性と汗を吸収する能力とを向上させて、編地の他方の面においては、編地の外観をスマートに見せて、編地全体としては、編地に通気性を持たせて、編地の解れと滑脱とを生じにくくして、しかも伸縮性においても優れた両面編地と、それを用いた布製品とを提供する。
【解決手段】
一方の面に配される第１の編地と他方の面に配される第２の編地とを有する編地であり、第１の編地と第２の編地とは、接結糸で接結されており、第２の編地を構成する編目の大きさに比して、第１の編地を構成する編目の大きさが大きく構成されており、第１の編地は、嵩高糸で構成されており、第２の編地を構成する糸の太さに比して、第１の編地を構成する糸の太さが大きく構成された両面編地と、当該編地で構成された布製品である。
【選択図】図１【図１】
0006841463.tif 000003
【図２】
0006841463.tif 000004
【図３】
0006841463.tif 000005
【図４】
0006841463.tif 000006
【図５】
0006841463.tif 000007
【図６】
0006841463.tif 000008
【図７】
0006841463.tif 000009
【図８】
0006841463.tif 000010
【図９】
0006841463.tif 000011